【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
電気活性層；および
ポリマーを含む少なくとも１つの層
を含み、
該ポリマーが、
（ａ）二重結合に結合した少なくとも１つの電子求引性基を含む少なくとも１つのオレフィン系モノマーおよび二重結合に結合した少なくとも１つの電子供与性基を含む少なくとも１つのオレフィン系コモノマーの共重合、または
（ｂ）少なくとも２つの二重結合、該二重結合の１つに結合した少なくとも１つの電子求引性基、および該二重結合の別の１つに結合した少なくとも１つの電子供与性基を有するオレフィン系モノマーの重合
から形成され、
該ポリマーが、少なくとも１つの電子供与性基を含む構造単位と交互に繰り返す少なくとも１つの電子求引性基を含む構造単位を含み、
前記電子求引性基が、ハロアルキル、−ＣＮ、−Ｃ(＝Ｏ)Ｒ１、−ＣＯＮ(Ｒ１)２、−ＣＯＮＲ１Ｈ、ハロゲン、−ＮＯ２、−ＳＯ３Ｒ１、−ＳＯ(ＯＲ１)２、−ＳＯ(ＯＲ１)Ｈ、−ＳＯＲ１、−ＳＯ２Ｒ１、−ＰＯ(ＯＲ１)２、−ＰＯ(ＯＲ１)Ｈおよびプロトン化アミン基から成る群から選択され、
１，２−位で二重結合に結合した２つの電子求引性基が、５員から６員の、置換または非置換の、不飽和環または複素環の二重結合と共に形成してもよく、
Ｒ１はそれぞれ独立して、水素；ハロゲン；置換または非置換の、分岐状または非分岐状のアシル；置換または非置換のアリール；置換または非置換のヘテロアリール；金属イオン、アニオン基およびリチウム含有基；から成る群から選択され、
Ｒ１は、オレフィン二重結合に結合した少なくとも１つの更なる電子供与性基または電子求引性基に結合してもよく、
前記電子供与性基が、アルキルアミノ、ヘテロアリール、シクロアルキル、シクロアルケニル、シクロアルキニル、−ＯＣＯＲ２、−ＮＲ２ＣＯＲ２、−ＯＲ２、−ＳＲ２、−Ｓｉ(ＯＲ２)３、−Ｓｉ(ＯＲ２)２Ｈ、−Ｓｉ(ＯＲ２)Ｈ２、−Ｓｉ(Ｒ２)３、−Ｓｉ(Ｒ２)２Ｈ、−Ｓｉ(Ｒ２)Ｈ２、
【化１】
2015537346.tif 000001
【化２】
2015537346.tif 000002
および
【化３】
2015537346.tif 000003
から成る群から選択され、
Ｒ２はそれぞれ独立して、水素；置換または非置換の、分岐状または非分岐状の脂肪族；置換または非置換の環状；置換または非置換の、分岐状または非分岐状の非環式；置換または非置換の、分岐状または非分岐状のヘテロ脂肪族；置換または非置換の、分岐状または非分岐状のアシル；置換または非置換のアリール；置換または非置換のヘテロアリール、置換または非置換の、分岐状または非分岐状のアルキレンオキシドまたはポリ(アルキレンオキシド)；金属イオン、アニオン基およびリチウム含有伝導性基；から成る群から選択され、
ｎが１、２または３であり、
Ｒ２は、任意に、オレフィン二重結合に結合した少なくとも１つの更なる電子供与性基または電子求引性基に結合してもよい、電気化学電池。
【請求項２】
オレフィン系モノマーの少なくとも１つが少なくとも２つの二重結合を含み、二重結合のそれぞれが、該二重結合に結合した１つ以上の電子供与性基または１つ以上の電子求引性基を有する、請求項１記載の電気化学電池。
【請求項３】
（ａ）前記ポリマーが、少なくとも１つのマレイミドおよび少なくとも１つのビニルエーテルの共重合によって生成され、
（ｂ）前記ポリマーが、少なくとも１つのマレイミドまたは無水マレイン酸および少なくとも１つのビニルエーテルを含むオレフィン系モノマーの重合によって生成され、または
（ｃ）前記少なくとも１つの電子求引性基を含む前記オレフィン系モノマーが、
【化４】
2015537346.tif 000004
【化５】
2015537346.tif 000005
から成る群から選択される、請求項１または２記載の電気化学電池。
【請求項４】
前記少なくとも１つの電子求引性基を含む前記オレフィン系モノマーが、式（Ｉ）：
【化６】
2015537346.tif 000006
（式中、
Ｒ３は、−(ＣＨ２)ｍ−Ｏ−(ＣＨＲ４−ＣＨ２−Ｏ)ｎ−Ｒ５であり、
Ｒ１は、メチルまたは水素であり、
Ｒ１は、Ｃ１〜Ｃ４−アルキルであり、
ｍは、０または１であり、
ｎは、１〜５０の整数であり、
Ｒ３は、ベンゼン環の（マレイミド環に対して）オルト、メタまたはパラ−位に配置される）
のモノマーから選択される、請求項３記載の電気化学電池。
【請求項５】
電気活性層を提供する工程、
（ａ）二重結合に結合した少なくとも１つの電子求引性基を含む少なくとも１つのオレフィン系モノマーおよび二重結合に結合した少なくとも１つの電子供与性基を含む少なくとも１つのオレフィン系コモノマー、または
（ｂ）少なくとも２つの二重結合、該二重結合の１つに結合した少なくとも１つの電子求引性基、および該二重結合の別の１つに結合した少なくとも１つの電子供与性基を有するオレフィン系モノマー
を表面に被覆する工程、および
（ｃ）フリーラジカル機構を用いて該モノマーを重合して、ポリマー層を形成する工程
を含み、
前記電子求引性基が、ハロアルキル、−ＣＮ、−Ｃ(＝Ｏ)Ｒ１、−ＣＯＮ(Ｒ１)２、−ＣＯＮＲ１Ｈ、ハロゲン、−ＮＯ２、ＳＯ３Ｒ１、−ＳＯ(ＯＲ１)２、−ＳＯ(ＯＲ１)Ｈ、−ＳＯＲ１、−ＳＯ２Ｒ１、−ＰＯ(ＯＲ１)２、−ＰＯ(ＯＲ１)Ｈおよびプロトン化アミン基から成る群から選択され、
１，２−位で二重結合に結合した２つの電子求引性基が、５員から６員の、置換または非置換の、不飽和環または複素環の二重結合と共に形成してもよく、
Ｒ１はそれぞれ独立して、水素；ハロゲン；置換または非置換の、分岐状または非分岐状のアシル；置換または非置換のアリール；置換または非置換のヘテロアリール；金属イオン；およびリチウム含有基；から成る群から選択され、
Ｒ１は、オレフィン二重結合に結合した少なくとも１つの更なる電子供与性基または電子求引性基に結合してもよく、
前記電子供与性基が、アルキルアミノ、ヘテロアリール、シクロアルキル、シクロアルケニル、シクロアルキニル、−ＯＣＯＲ２、−ＮＲ２ＣＯＲ２、−ＯＲ２、−ＳＲ２、−Ｓｉ(ＯＲ２)３、−Ｓｉ(ＯＲ２)２Ｈ、−Ｓｉ(ＯＲ２)Ｈ２、−Ｓｉ(Ｒ２)３、−Ｓｉ(Ｒ２)２Ｈ、−Ｓｉ(Ｒ２)Ｈ２、
【化７】
2015537346.tif 000007
【化８】
2015537346.tif 000008
および
【化９】
2015537346.tif 000009
から成る群から選択される少なくとも１つの基を含み、
Ｒ２はそれぞれ独立して、水素；置換または非置換の、分岐状または非分岐状の脂肪族；置換または非置換の環状；置換または非置換の、分岐状または非分岐状の非環式；置換または非置換の、分岐状または非分岐状のヘテロ脂肪族；置換または非置換の、分岐状または非分岐状のアシル；置換または非置換のアリール；置換または非置換のヘテロアリール、置換または非置換の、分岐状または非分岐状のアルキレンオキシドまたはポリ(アルキレンオキシド)；金属イオン；アニオン基；およびリチウム含有基；から成る群から選択され、
ｎが１、２または３であり、
Ｒ２は、任意にオレフィン二重結合に結合した少なくとも１つの更なる電子供与性基または電子求引性基に結合してもよい
電気化学電池に用いられる構成要素を形成する方法。
【請求項６】
（ａ）前記少なくとも１つの電子求引性基を含む前記オレフィン系モノマーがマレイミドを含み、かつ前記少なくとも１つの電子供与性基を含むコモノマーがビニルエーテルを含む、或いは
（ｂ）少なくとも２つの二重結合を有する前記オレフィン系モノマーが、少なくとも１つのマレイミドおよび少なくとも１つのビニルエーテルを含む、請求項５記載の方法。
【請求項７】
前記電子求引性基および／または前記電子供与性基が、
（ａ）シクロアルキル基、シクロアルケニル基、またはシクロアルキニル基；或いは
（ｂ）ヘテロアリール基； 
を含み、
任意に、該ヘテロアリール基が、１つの窒素ヘテロ原子、２つの窒素ヘテロ原子または１つの酸素ヘテロ原子を含む、請求項１〜４のいずれか１項記載の電気化学電池。
【請求項８】
前記ポリマーが、置換または非置換の、分岐状または非分岐状のポリ(アルキレンオキシド)；アニオン基；および／またはリチウム含有基；を含み、
任意に、該リチウム含有基が、アリール−ＳＯ３Ｌｉまたはアルキル−ＳＯ３Ｌｉである、請求項１〜４および７のいずれか１項記載の電気化学電池。
【請求項９】
（ａ）Ｒ１および／またはＲ２が、リチウムイオンを含み、および／またはリチウムイオン伝導性であり；或いは
（ｂ）電気活性層がリチウム金属を含む、請求項１〜４、７および８のいずれか１項記載の電気化学電池。
【請求項１０】
前記二重結合に結合した前記少なくとも１つの電子求引性基を含む前記モノマーのＱ−ｅスキームが、
（ａ）ｅ＞０およびＱ＜０．１であり、並びに前記二重結合に結合した前記少なくとも１つの電子供与性基を含むコモノマーのＱ−ｅスキームがｅ＜０およびＱ＞０．１であるか、或いは
（ｂ）ｅ＞０およびＱ＞０．１であり、並びに前記二重結合に結合した前記少なくとも１つの電子供与性基を含むコモノマーのＱ−ｅスキームがｅ＜０およびＱ＜０．１である、請求項１〜４および７〜９のいずれか１項記載の電気化学電池。
【請求項１１】
前記ポリマーを含む前記層の乾燥電気伝導率が、室温で１０−１０Ｓ／ｃｍより高く、かつ１０−４Ｓ／ｃｍ以下である、請求項１〜４および７〜１０のいずれか１項記載の電気化学電池。
【請求項１２】
前記ポリマーを含む前記層がゲルポリマー電解質層であり；任意に
（ａ）電解質により膨潤した場合、該ゲルポリマー電解質層の電気伝導率が、室温で１０−７Ｓ／ｃｍより高く、かつ１０−３Ｓ／ｃｍ以下であるか；または
（ｂ）該ゲルポリマー電解質層を、ジオキソランおよびジメトキシエタンの少なくとも１つを含む電解質で膨潤する、請求項１〜４および７〜１１のいずれか１項記載の電気化学電池。
【請求項１３】
前記電気活性層および前記ポリマーを含む前記層の間に配置されたイオン伝導性層を更に含み；任意に
（ａ）電気化学電池が、前記ポリマーを含む前記少なくとも１つの層および少なくとも１つのイオン伝導性層の交互の層を含む；または
（ｂ）該イオン伝導性層が、窒化リチウム、ケイ酸リチウム、ホウ酸リチウム、アルミン酸リチウム、リン酸リチウム、窒化リン酸リチウム、リチウムシリコスルフィド、リチウムゲルマノスルフィド、酸化リチウム、酸化リチウムランタン、酸化リチウムチタン、リチウムボロスルフィド、リチウムアルミノスルフィド、およびリチウムホスホスルフィドの少なくとも１つを含む、
請求項１〜４および７〜１２のいずれか１項記載の電気化学電池。
【請求項１４】
前記ポリマーが：
（ａ）前記ポリマーを基材に連結するように適合させた第二のコモノマーを更に含み；任意に
（ｉ）前記ポリマーが約０．１〜２０モル％の第二のコモノマーを含む；または
（ii）該第二のコモノマーが、カルボン酸、カルボキシレート、グリシジル、無水マレイン酸、リン酸エステル、スルホン酸およびスルホン酸エステルの少なくとも１つを含む；或いは
（ｂ）マレイミドに比べて過剰のビニルエーテルを含み、過剰のビニルエーテルが可塑剤として機能し；或いは
（ｃ）リチウム塩を含み；任意に
（ｉ）該リチウム塩が前記ポリマーに固有のものであり；または
（ii）該リチウム塩が電解質に溶解して、電気化学電池と共に用いられ；または
（iii）該リチウム塩が前記ポリマーに固有のものであり、かつ電解質に溶解して、電気化学電池と共に用いられ；更に任意に、該リチウム塩は、ＬｉＴＦＳＩ、ＬｉＦＳＩ、ＬｉＩ、ＬｉＰＦ６、ＬｉＡｓＦ６、ＬｉＢＯＢおよびそれらの誘導体の少なくとも１つを含み；或いは
（ｄ）電子求引性基および電子供与性基の間に配置されたスペーサー基を更に含む
請求項１〜４および７〜１３のいずれか１項記載の電気化学電池。
【請求項１５】
（ａ）電子求引性基に結合した二重結合の、電子供与性基に結合した二重結合に対するモル比が、約１：１である；或いは
（ｂ）前記モノマーおよびコモノマーの少なくとも１つ、または少なくとも２つの二重結合を有する前記オレフィン系モノマーが、ポリ（エチレンオキシド）、リチウム化スルホネート基、リチウム化カルボキシレート基およびリチウム化トリフルオロメタンスルホニルイミド基から成る群から選択される少なくとも１つの官能基を含む；或いは
（ｃ）前記モノマーおよびコモノマーの少なくとも１つ、または少なくとも２つの二重結合を有する前記オレフィン系モノマーが、ポリ（エチレンオキシド）を含む
請求項１〜４および７〜１４のいずれか１項記載の電気化学電池。
【請求項１６】
カソード活性種として硫黄を含むカソードを更に含む、請求項１〜４および７〜１５
のいずれか１項記載の電気化学電池。
【請求項１７】
前記モノマーを被覆する工程が、
（ａ）ドクターブレード法、スプレーコーティング法、Ｍａｙｅｒロッド法、ダイヘッドコーティング法、スピンコーティング法、溶液流延法および蒸着法の少なくとも１つ；または
（ｂ）フラッシュ蒸着法
を使用することを含む、請求項５または６記載の方法。
【請求項１８】
重合する工程が、前記モノマーおよびコモノマー、または少なくとも２つの二重結合を有する前記オレフィン系モノマーに、紫外線光、電子線または熱エネルギーを照射して、前記フリーラジカル機構を達成することを含み；任意に、重合する工程が、５秒以下、３秒以下、または１秒以下の範囲内で、前記モノマーを重合することを含む、請求項５、６および１７のいずれか１項記載の方法。
【請求項１９】
（ａ）前記電気活性層上にイオン伝導性層を形成することを更に含み；任意に、該イオン伝導性層が、前記電気活性層および前記ポリマーを含む前記層の間に配置される；或いは
（ｂ）前記モノマーおよびコモノマーを前記表面に被覆する工程が、前記モノマーおよびコモノマーを
（ｉ）前記電気活性層の表面；または
（ii）前記イオン伝導性層の表面
に被覆することを更に含む；或いは
（ｃ）少なくとも２つの二重結合を有する前記オレフィン系モノマーを前記表面に被覆する工程が、前記オレフィン系モノマーを
（ｉ）前記電気活性層の表面；または
（ii）前記イオン伝導性層の表面
に被覆することを更に含む、請求項５、６、１７および１８のいずれか１項記載の方法。
【請求項２０】
前記少なくとも１つの電子求引性基を含む前記オレフィン系モノマーが、式（Ｉ）：
【化１０】
2015537346.tif 000010
（式中、
Ｒ３は、−(ＣＨ２)ｍ−Ｏ−(ＣＨＲ４−ＣＨ２−Ｏ)ｎ−Ｒ５であり、
Ｒ１は、メチルまたは水素であり、
Ｒ１は、Ｃ１〜Ｃ４−アルキルであり、
ｍは、０または１であり、
ｎは、１〜５０の整数であり、
Ｒ３は、ベンゼン環の（マレイミド環に対して）オルト、メタまたはパラ−位に配置される）
のモノマーから選択される、請求項５、６および１７〜１９のいずれか１項記載の方法。